【手続補正書】
【提出日】令和1年10月7日(2019.10.7)
【手続補正１】
【補正対象書類名】特許請求の範囲
【補正対象項目名】全文
【補正方法】変更
【補正の内容】
【特許請求の範囲】
【請求項１】
プロセスプラント内の安全イベントを視覚化するコンピュータ実装の方法であって、前記方法が、
一組の原因及び一組の結果を有する原因結果マトリックス（ＣＥＭ）にアクセスすることであって、前記一組の原因の各々が、前記プロセスプラント内の条件を表し、前記一組の結果の各々が、前記プロセスプラント内で行われるべき結果を表し、前記一組の原因及び前記一組の結果のうちの少なくともいくつかが、原因−結果の対として関連され、それによって、前記対応する条件の発生に応答して前記対応する結果を起動させ、前記一組の原因及び前記一組の結果が、前記プロセスプラント内の一組の監視される安全イベントを表す、アクセスすることと、
ユーザインターフェースを介して、前記一組の監視される安全イベントのうちの１つの監視される安全イベントの選択を受信することと、
前記監視される安全イベントの現在の状態を判定することであって、前記現在の状態は、前記ＣＥＭの安全ロジックに対応する前記監視される安全イベントの安全レベルを示し、前記安全レベルは、標準動作状態からの下落の程度を示す、判定することと、
（ｉ）前記監視される安全イベントの指示、及び（ｉｉ）前記監視される安全イベントの前記現在の状態を前記ユーザインターフェースに表示することと、
前記監視される安全イベントの状態の変化を検出することと、
前記状態の変化に従って、前記監視される安全イベントの更新された状態を前記ユーザインターフェースに表示することと、を含む、コンピュータ実装の方法。
【請求項２】
前記監視される安全イベントの前記状態の変化を検出することが、
期間の終了に応答して、前記監視される安全イベントの前記状態の変化を検出することを含む、請求項１に記載のコンピュータ実装の方法。
【請求項３】
前記監視される安全イベントの前記現在の状態を表示することが、
前記監視される安全イベントの前記現在の状態を第１のグラフィカルオブジェクトとして表示することを含み、
前記監視される安全イベントの前記更新された状態を表示することが、
前記監視される安全イベントの前記更新された状態を、前記第１のグラフィカルオブジェクトと異なる、第２のグラフィカルオブジェクトとして表示することを含む、請求項１
または２に記載のコンピュータ実装の方法。
【請求項４】
前記監視される安全イベントの前記現在の状態を表示することが、
前記監視される安全イベントの前記現在の状態を少なくとも２つの第１のグラフィカルオブジェクトとして表示することを含み、
前記監視される安全イベントの前記更新された状態を表示することが、
前記監視される安全イベントの前記更新された状態を少なくとも２つの第２のグラフィカルオブジェクトとして表示することを含む、請求項１から３のいずれか１項に記載のコンピュータ実装の方法。
【請求項５】
前記監視される安全イベントの前記更新された状態を表示することが、
前記監視される安全イベントの前記現在の状態と前記更新された状態との間の変化の程度を判定することと、
前記変化の程度を前記ユーザインターフェースに表示することと、を含む、請求項１から４のいずれか１項に記載のコンピュータ実装の方法。
【請求項６】
期間の終了に応答して、前記監視される安全イベントの前記更新された状態が変化しなかったと判定することと、
前記監視される安全イベントの前記更新された状態を前記ユーザインターフェースに表示することと、をさらに含む、請求項１から５のいずれか１項に記載のコンピュータ実装の方法。
【請求項７】
前記ユーザインターフェースを介して、前記監視される安全イベントの前記更新された状態の選択を受信することであって、前記監視される安全イベントが、一組の関連付けられた条件を有する、受信することと、
前記一組の関連付けられた条件の各々の条件状態を前記ユーザインターフェースに表示することと、をさらに含む、請求項１から６のいずれか１項に記載のコンピュータ実装の方法。
【請求項８】
前記ユーザインターフェースを介して、前記監視される安全イベントの前記更新された状態の選択を受信することであって、前記監視される安全イベントが、存在する関連付けられた条件を有する、受信することと、
前記関連付けられた条件を存在させる、前記プロセスプラント内のデバイスの指示を前記ユーザインターフェースに表示することと、をさらに含む、請求項１から７のいずれか１項に記載のコンピュータ実装の方法。
【請求項９】
（ｉ）前記一組の監視される安全イベントのうちの追加的な１つの監視される安全イベントの追加的な指示、及び（ｉｉ）前記追加的な監視される安全イベントの追加的な現在の状態を前記ユーザインターフェースに表示することと、
前記追加的な監視される安全イベントの追加的な状態の変化を検出することと、
前記追加的な状態の変化に従って、前記追加的な監視される安全イベントの追加的な更新された状態を前記ユーザインターフェースに表示することと、をさらに含む、請求項１から８のいずれか１項に記載のコンピュータ実装の方法。
【請求項１０】
プロセスプラント内の安全イベントを視覚化するためのシステムであって、
ユーザインターフェースと、
（ｉ）一組のコンピュータ実行可能命令、及び（ｉｉ）一組の原因及び一組の結果を有する原因結果マトリックス（ＣＥＭ）を記憶するように構成されたメモリであって、前記一組の原因の各々が、前記プロセスプラント内の条件を表し、前記一組の結果の各々が、前記プロセスプラント内で行われるべき結果を表し、前記一組の原因及び前記一組の結果
のうちの少なくともいくつかが、原因−結果の対として関連され、それによって、前記対応する条件の発生に応答して前記対応する結果を起動させ、前記一組の原因及び前記一組の結果が、前記プロセスプラント内の一組の監視される安全イベントを表す、メモリと、
前記ユーザインターフェース及び前記メモリとインターフェースされたプロセッサであって、前記一組のコンピュータ実行可能命令を実行して、前記プロセッサに、
前記ユーザインターフェースを介して、前記一組の監視される安全イベントの監視される安全イベントの選択を受信させ、
前記監視される安全イベントの現在の状態を判定させ、
前記現在の状態は、前記ＣＥＭの安全ロジックに対応する前記監視される安全イベントの安全レベルを示し、前記安全レベルは、標準動作状態からの下落の程度を示し、
前記ユーザインターフェースに、（ｉ）前記監視される安全イベントの指示、及び（ｉｉ）前記監視される安全イベントの前記現在の状態を表示させ、
前記監視される安全イベントの状態の変化を検出させ、
前記ユーザインターフェースに、前記状態の変化に従って、前記監視される安全イベントの更新された状態を表示させる、プロセッサと、を備える、システム。
【請求項１１】
前記監視される安全イベントの前記状態の変化を検出するために、前記プロセッサが、
期間の終了に応答して、前記監視される安全イベントの前記状態の変化を検出するように構成される、請求項１０に記載のシステム。
【請求項１２】
前記ユーザインターフェースに、前記監視される安全イベントの前記現在の状態を表示させるために、前記プロセッサが、
前記ユーザインターフェースに、前記監視される安全イベントの前記現在の状態を第１のグラフィカルオブジェクトとして表示させるように構成され、
前記ユーザインターフェースに、前記監視される安全イベントの前記更新された状態を表示させるために、前記プロセッサが、
前記ユーザインターフェースに、前記監視される安全イベントの前記更新された状態を、前記第１のグラフィカルオブジェクトと異なる、第２のグラフィカルオブジェクトとして表示させるように構成される、請求項１０または１１に記載のシステム。
【請求項１３】
前記ユーザインターフェースに、前記監視される安全イベントの前記現在の状態を表示させるために、前記プロセッサが、
前記ユーザインターフェースに、前記監視される安全イベントの前記現在の状態を少なくとも２つの第１のグラフィカルオブジェクトとして表示させるように構成され、
前記ユーザインターフェースに、前記監視される安全イベントの前記更新された状態を表示させるために、前記プロセッサが、
前記ユーザインターフェースに、前記監視される安全イベントの前記更新された状態を少なくとも２つの第２のグラフィカルオブジェクトとして表示させるように構成される、請求項１０から１２のいずれか１項に記載のシステム。
【請求項１４】
前記ユーザインターフェースに、前記監視される安全イベントの前記更新された状態を表示させるために、前記プロセッサが、
前記監視される安全イベントの前記現在の状態と前記更新された状態との間の変化の程度を判定し、
前記ユーザインターフェースに、前記変化の程度を表示させるように構成される、請求項１０から１３のいずれか１項に記載のシステム。
【請求項１５】
前記プロセッサが、
前記ユーザインターフェースを介して、前記監視される安全イベントの前記更新された状態の選択を受信し、前記監視される安全イベントが、一組の関連付けられた条件を有し
、
前記ユーザインターフェースに、前記一組の関連付けられた条件の各々の条件状態を表示させるようにさらに構成される、請求項１０から１４のいずれか１項に記載のシステム。
【請求項１６】
前記プロセッサが、
前記ユーザインターフェースを介して、前記監視される安全イベントの前記更新された状態の選択を受信するようにさらに構成され、前記監視される安全イベントが、存在する前記関連付けられた条件を有し、
前記ユーザインターフェースに、前記関連付けられた条件を存在させる、前記プロセスプラント内のデバイスの指示を表示させるようにさらに構成される、請求項１０から１５のいずれか１項に記載のシステム。
【請求項１７】
前記プロセッサが、
前記ユーザインターフェースに、（ｉ）前記一組の監視される安全イベントのうちの追加的な１つの監視される安全イベントの追加的な指示、及び（ｉｉ）前記追加的な監視される安全イベントの追加的な現在の状態を表示させ、
前記追加的な監視される安全イベントの追加的な状態の変化を検出し、
前記ユーザインターフェースに、前記追加的な状態の変化に従って、前記追加的な監視される安全イベントの追加的な更新された状態を表示させるようにさらに構成される、請求項１０から１６のいずれか１項に記載のシステム。
【請求項１８】
プロセスプラント内の安全イベントを視覚化するコンピュータ実装の方法であって、前記方法が、
一組の原因及び一組の結果を有する前記プロセスプラントに対応する安全ロジックにアクセスすることであって、前記一組の原因の各々が、前記プロセスプラント内の条件を表し、前記一組の結果の各々が、１以上の前記条件に基づいて前記プロセスプラント内で行われるべき行動を表し、前記一組の原因及び前記一組の結果が、前記プロセスプラント内の一組の監視される安全イベントを表す、アクセスすることと、
ユーザインターフェースを介して、前記一組の監視される安全イベントのうちの１つの監視される安全イベントの選択を受信することと、
前記監視される安全イベントの現在の状態を判定することであって、前記現在の状態は、前記ＣＥＭの安全ロジックに対応する前記監視される安全イベントの安全レベルを示し、前記安全レベルは、標準動作状態からの下落の程度を示す、判定することと、
前記監視される安全イベントの前記現在の状態を前記ユーザインターフェースに表示することと、
を含む、コンピュータ実装の方法。
【請求項１９】
前記ユーザインターフェースを介して、前記監視される安全イベントの１以上の表示のメニューを表示することと、
ユーザインターフェースを介して、表示のタイプの選択を受信することと、及び、
前記ユーザインターフェースを介して、前記表示タイプに従って前記監視される安全イベントの前記現在の状態を表示することと、
をさらに含む、請求項１８に記載のコンピュータ実装の方法。
【請求項２０】
前記表示タイプの前記選択は、１以上のシンボル、カラー、グラフィック、線、数値表示の選択である、
請求項１９に記載のコンピュータ実装の方法。
【請求項２１】
前記ユーザインターフェースを介して、第２の監視される安全イベントの選択を受信す
ることと、及び、
前記ユーザインターフェースを介して、前記監視される安全イベントの前記現在の状態に一致して、前記第２の監視される安全イベントの現在の状態を表示することと、
をさらに含む、請求項１８から２０のいずれか１項に記載のコンピュータ実装の方法。
【請求項２２】
前記選択された監視される安全イベントが前記１組の結果からの結果に対応することを判定することと、及び、
前記ユーザインターフェースを介して、前記結果に対応する１以上の条件に関連する情報を表示することと、
をさらに含む、請求項１８から２１のいずれか１項に記載のコンピュータ実装の方法。
【請求項２３】
前記ユーザインターフェースを介して、前記表示された監視される安全イベントの要素の選択を受信することと、及び
前記ユーザインターフェースを介して、前記選択された要素に対応するデバイスを含む前記システム構成のビューを表示することと、
をさらに含む、請求項１８から２２のいずれか１項に記載のコンピュータ実装の方法。
【請求項２４】
前記監視される安全イベントが前記パワープラントの１以上の条件に対応する結果に対応することを判定することと、及び
前記ユーザインターフェースを介して、前記条件の各々の指示を表示することと、
をさらに含む、請求項１８から２２のいずれか１項に記載のコンピュータ実装の方法。
【請求項２５】
プロセスプラント内のイベントを検出するコンピュータ実装の方法であって、前記方法が、
ユーザが前記プロセスプラント内の監視されるべき１以上の安全イベントを定義できるようにすることであって、各々の安全イベントは前記安全イベントが前記プラントプロセス内で２以上の監視される条件の所定の値のロジカルコンビネーションとして判定される前記プロセスプラント内に存在することを示す状態を有する、定義できるようにすることと、
ユーザインターフェースを介して、プラント内の監視されるべき前記１以上の安全イベントの安全イベントの選択を受信することと、
プロセッサを介して、前記選択された安全イベントの前記２以上の監視される条件の各々の前記現在の値を検出することと、
プロセッサを介して、前記選択された安全イベントの各々の２以上の監視される条件の各々の前記検出された現在の値が、前記選択された安全イベントに対する前記監視される条件に対する前記所定の値に合うか否かを判定することと、及び、
表示デバイスで、前記選択された安全イベントに対する前記２以上の監視される条件の前記所定の値に合う前記選択された安全イベントの各々の前記２以上の監視される条件の前記検出された現在の値の数に関連するグラフィカル指示として前記選択された安全イベントの状態を表示することと、
を含む、コンピュータ実装の方法。
【請求項２６】
各々の前記一組の安全イベントが一組の原因及び一組の結果を有する原因結果マトリックス（ＣＥＭ）に対応し、前記一組の原因の各々の原因が前記プロセスプラント内の条件を表し、前記一組の結果の各々の前記結果が１以上の前記条件に基づいて前記プロセスプラント内で行われるべき行動を表し、前記一組の原因及び前記一組の結果が前記プロセスプラント内の一組の監視される安全イベントを表す、
請求項２５に記載のコンピュータ実装の方法。
【請求項２７】
各々の前記監視されるイベントの前記現在の値が標準動作状態からの下落の程度を示す
、
請求項２６に記載のコンピュータ実装の方法。